(57)【要約】【課題】  光ピックアップを構成する光学部品自体に起因するコマ収差を補正するとともに、光ディスクの反り、面振れ等に起因するラジアル方向のコマ収差を補正する。【解決手段】  所定の波長の光ビームを出射する光源３１と、光源３１から出射された光ビームを光ディスク１１の信号記録面上に集光する対物レンズ３２と、光源３１と対物レンズ３２との間に設けられ、屈折率を変化させることによりコマ収差の収差量を調整する液晶光学素子３８と、光ディスク１１で反射された戻り光を光路分離する光路分離手段３５と、光路分離手段３５で分離された戻り光を検出する光検出器３６と備え、液晶光学素子３８は、光軸方向に相対向して配置される一対の電極を有し、一対の電極の一方の電極には、ラジアル方向のコマ収差を補正する第１のパターンと、タンジェンシャル方向のコマ収差を補正する第２のパターンとが設けられている。【選択図】  図２
2007080431.tif 000002
【特許請求の範囲】
【請求項１】
所定の波長の光ビームを出射する光源と、
上記光源から出射された光ビームを光ディスクの信号記録面上に集光する対物レンズと、
上記光源と上記対物レンズとの間に設けられ、屈折率を変化させることによりコマ収差の収差量を調整する液晶光学素子と、
上記光ディスクで反射された戻り光を光路分離する光路分離手段と、
上記光路分離手段で分離された戻り光を検出する光検出器と備え、
上記液晶光学素子は、光軸方向に相対向して配置される一対の電極を有し、
上記一対の電極の一方の電極には、ラジアル方向のコマ収差を補正する第１のパターンと、タンジェンシャル方向のコマ収差を補正する第２のパターンとが設けられている光ピックアップ。
【請求項２】
上記光検出器で検出された信号により、上記液晶光学素子の上記一方及び他方の電極の分割された各領域に印加される電位を制御する制御部を備え、
上記液晶光学素子は、上記ラジアル方向のコマ収差を補正する第１のパターンと、上記タンジェンシャル方向のコマ収差を補正する第２のパターンとで分割された各領域に印加される電位を上記制御部に制御されてコマ収差を補正する請求項１記載の光ピックアップ。
【請求項３】
上記第２のパターンは、上記一方の電極の中心に対して上記第１のパターンを略９０°回転させた形状に形成され、上記第１のパターンと一部重複して形成されている請求項１記載の光ピックアップ。
【請求項４】
上記第２のパターンは、上記一方の電極の中心に対して上記第１のパターンを略９０°回転させた形状に形成され、上記第１のパターンに重複することなく形成されている請求項１記載の光ピックアップ。
【請求項５】
異なる種類の第１乃至第３の光ディスクに対して、情報の記録及び／又は再生を行う光ピックアップにおいて、
第１乃至第３の波長の光ビームを出射する光源と、
上記光源から出射された第１の波長の光ビームを第１の光ディスクの信号記録面上に集光する第１の対物レンズと、
上記光源から出射された第２の波長の光ビームを第２の光ディスクの信号記録面上に集光するとともに、上記光源から出射された第３の波長の光ビームを第３の光ディスクの信号記録面上に集光する第２の対物レンズと、
上記光源と上記第１及び第２の対物レンズとの間に設けられ、屈折率を変化させることによりコマ収差の収差量を調整する液晶光学素子と、
上記光ディスクで反射された戻り光を光路分離する光路分離手段と、
上記光路分離手段で分離された戻り光を検出する光検出器と備え、
上記液晶光学素子は、光軸方向に相対向して配置される一対の電極を有し、
上記一対の電極の一方の電極には、ラジアル方向のコマ収差を補正する第１のパターンと、タンジェンシャル方向のコマ収差を補正する第２のパターンとが設けられている光ピックアップ。
【請求項６】
光ディスクに対して情報を記録及び／又は再生する光ピックアップと、上記光ディスクを回転するディスク回転駆動手段とを備える光ディスク装置において、
上記光ピックアップは、所定の波長の光ビームを出射する光源と、
上記光源から出射された光ビームを光ディスクの信号記録面上に集光する対物レンズと、
上記光源と上記対物レンズとの間に設けられ、屈折率を変化させることによりコマ収差の収差量を調整する液晶光学素子と、
上記光ディスクで反射された戻り光を光路分離する光路分離手段と、
上記光路分離手段で分離された戻り光を検出する光検出器と備え、
上記液晶光学素子は、光軸方向に相対向して配置される一対の電極を有し、
上記一対の電極の一方の電極には、ラジアル方向のコマ収差を補正する第１のパターンと、タンジェンシャル方向のコマ収差を補正する第２のパターンとが設けられている光ディスク装置。
【請求項７】
異なる種類の第１乃至第３の光ディスクに対して情報を記録及び／又は再生する光ピックアップと、上記第１乃至第３の光ディスクを回転するディスク回転駆動手段とを備える光ディスク装置において、
上記光ピックアップは、第１乃至第３の波長の光ビームを出射する光源と、
上記光源から出射された第１の波長の光ビームを第１の光ディスクの信号記録面上に集光する第１の対物レンズと、
上記光源から出射された第２の波長の光ビームを第２の光ディスクの信号記録面上に集光するとともに、上記光源から出射された第３の波長の光ビームを第３の光ディスクの信号記録面上に集光する第２の対物レンズと、
上記光源と上記第１及び第２の対物レンズとの間に設けられ、屈折率を変化させることによりコマ収差の収差量を調整する液晶光学素子と、
上記光ディスクで反射された戻り光を光路分離する光路分離手段と、
上記光路分離手段で分離された戻り光を検出する光検出器と備え、
上記液晶光学素子は、光軸方向に相対向して配置される一対の電極を有し、
上記一対の電極の一方の電極には、ラジアル方向のコマ収差を補正する第１のパターンと、タンジェンシャル方向のコマ収差を補正する第２のパターンとが設けられている光ディスク装置。
【発明の詳細な説明】
【技術分野】
【０００１】
本発明は、光ディスク等の情報記録媒体に対して記録及び／又は再生を行う光ピックアップ及びこれを用いた光ディスク装置に関する。
【背景技術】
【０００２】
光ディスクに対して、記録及び／又は再生を行う光ピックアップ及び光ディスク装置において、その光学部品そのものが持つコマ収差や、光学部品を組み付ける際のずれによる組立時のコマ収差等（以下、これらのコマ収差をあわせて「光学部品に起因するコマ収差」という）により光ディスクの信号記録面に集光されるスポットの品質が劣化し、情報の記録、再生に悪影響を及ぼすことが問題となる。
【０００３】
例えば、特許第３５３８５２０号公報に記載されているように、この光学部品に起因するコマ収差を液晶光学素子を設けることで補正することが知られていた。（特許文献１参照）。
【０００４】
光学部品に起因するコマ収差を液晶光学素子により補正することは、異なるフォーマットの複数種類の光ディスクに対して、情報の記録及び／又は再生を行う光ピックアップとして、対物レンズが複数設けられた場合に特に有効である。すなわち、対物レンズを１個設ける場合では、光学部品に起因するコマ収差を対物レンズを傾斜させることで調整することも可能であるが、例えば、対物レンズを２個設ける場合では、対物レンズを保持するレンズホルダを傾斜することにより、いずれか一方の組立時のコマ収差を調整すると、他方の組立時のコマ収差が調整できないという問題があった。このように、複数の対物レンズを設ける場合には、光学部品に起因するコマ収差を液晶光学素子により補正することが特に必要となる。
【０００５】
その一方で、光ディスクの反り、面振れ等によりラジアル方向のコマ収差（以下、「光ディスクに起因するコマ収差」という。）が発生する。この光ディスクに起因するコマ収差は、対物レンズを駆動するアクチュエータとして、トラッキング方向及びフォーカス方向に加えチルト方向にも駆動することが可能な３軸アクチュエータ等を設け、光ディスクの反り、面振れ等に対応して対物レンズを傾斜させることで光ディスクに起因するコマ収差を調整していた。また、この光ディスクに起因するコマ収差を液晶光学素子で補正することが知られていた。
【０００６】
上述したコマ収差を補正する液晶光学素子は、２枚の電極と、２枚の電極に挟まれて配向された液晶分子とから形成されている。２枚の電極のいずれか一方には、図９に示すように、電極を複数の領域に分割する複数の境界部２０２ａ〜２０２ｄからなり、コマ収差を補正する電極パターン２０１が設けられる。すなわち、かかる液晶光学素子は、複数の領域に分割された電極に与える電位差を変化させることで、液晶分子の配向性を利用して屈折率分布を持たせ、透過する光ビームに対して各領域毎に位相差を異ならせることによって所望の収差を発生させて補正するものである。
【０００７】
上述した光学部品に起因するコマ収差及び光ディスクに起因するコマ収差の２要因のコマ収差を補正するためには、タンジェンシャル方向及びラジアル方向の２方向のコマ収差に対応した液晶光学素子を設ける必要がある。かかる構成とした場合、光学部品が増加して構成が複雑になりコストが増加してしまうとともに、かかる液晶光学素子を偏心することなく配置する必要性が生じる。
【０００８】
すなわち、かかる液晶光学素子を設ける場合において、透過する光ビームと電極パターンとの配置ズレ、換言すると、透過する光ビームとコマ収差を発生させる電極パターンとが偏心していると、コマ収差以外の収差として、例えば非点収差等が発生してしまうからである。
【０００９】
また、タンジェンシャル方向のコマ収差及びラジアル方向のコマ収差の２方向のコマ収差を補正するために、対向する各電極それぞれに、各方向のコマ収差を補正する電極パターンを設けた液晶光学素子を設けることが考えられる。かかる構成とした液晶光学素子は、透過する光ビームに対して両電極共に偏心のないようにする必要があり、素子作製時における両電極パターン同士の偏心が抑えられるように高精度に位置合わせする必要性が生じる。
【００１０】
また、２方向のコマ収差に加えてさらに非点収差や球面収差を１つの素子で補正しようとすると、電極パターンの分割数が増加、複雑化し、素子の作製が困難になったり、素子の制御が複雑になるという問題がある。
【００１１】
【特許文献１】特許第３５３８５２０号公報
【発明の開示】
【発明が解決しようとする課題】
【００１２】
本発明の目的は、光ピックアップを構成する光学部品自体に起因するコマ収差を補正することができるとともに、光ディスクの反り、面振れ等に起因するコマ収差を補正することができる光ピックアップ及びこれを用いた光ディスク装置を提供することにある。
【課題を解決するための手段】
【００１３】
この目的を達成するため、本発明にかかる光ピックアップは、所定の波長の光ビームを出射する光源と、上記光源から出射された光ビームを光ディスクの信号記録面上に集光する対物レンズと、上記光源と上記対物レンズとの間に設けられ、屈折率を変化させることによりコマ収差の収差量を調整する液晶光学素子と、上記光ディスクで反射された戻り光を光路分離する光路分離手段と、上記光路分離手段で分離された戻り光を検出する光検出器と備え、上記液晶光学素子は、光軸方向に相対向して配置される一対の電極を有し、上記一対の電極の一方の電極には、ラジアル方向のコマ収差を補正する第１のパターンと、タンジェンシャル方向のコマ収差を補正する第２のパターンとが設けられている。
【００１４】
また、本発明にかかる光ピックアップは、異なる種類の第１乃至第３の光ディスクに対して、情報の記録及び／又は再生を行う光ピックアップにおいて、第１乃至第３の波長の光ビームを出射する光源と、上記光源から出射された第１の波長の光ビームを第１の光ディスクの信号記録面上に集光する第１の対物レンズと、上記光源から出射された第２の波長の光ビームを第２の光ディスクの信号記録面上に集光するとともに、上記光源から出射された第３の波長の光ビームを第３の光ディスクの信号記録面上に集光する第２の対物レンズと、上記光源と上記第１及び第２の対物レンズとの間に設けられ、屈折率を変化させることによりコマ収差の収差量を調整する液晶光学素子と、上記光ディスクで反射された戻り光を光路分離する光路分離手段と、上記光路分離手段で分離された戻り光を検出する光検出器と備え、上記液晶光学素子は、光軸方向に相対向して配置される一対の電極を有し、上記一対の電極の一方の電極には、ラジアル方向のコマ収差を補正する第１のパターンと、タンジェンシャル方向のコマ収差を補正する第２のパターンとが設けられている。
【００１５】
上述したような目的を達成するため、本発明にかかる光ディスク装置は、光ディスクに対して情報を記録及び／又は再生する光ピックアップと、光ディスクを回転するディスク回転駆動手段とを備える光ディスク装置であり、この光ディスク装置に用いる光ピックアップとして、上述したようなものを用いたものである。
【発明の効果】
【００１６】
本発明にかかる光ピックアップ及びこれを用いた光ディスク装置は、簡易な構成で光ピックアップを構成する光学部品の誤差及びこの光学部品の配置誤差等により発生するコマ収差を良好に補正することができるとともに、光ディスクの反り、面振れ等に起因するコマ収差を良好に補正することができ、記録・再生特性を向上させることができる。
【発明を実施するための最良の形態】
【００１７】
以下、本発明を適用した光ディスク装置について、図面を参照して説明する。
【００１８】
この光ディスク装置１０は、フォーマットの異なる複数種類の光ディスク１１に対して情報信号の記録及び／又は再生を行うことができる光ディスク装置である。
【００１９】
ここで用いられる光ディスク１１は、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等である。
【００２０】
特に、以下で光ディスク装置１０により情報の再生又は記録を行う３種類の光ディスクとして、保護基板の厚さが０．１ｍｍで波長４０５ｎｍ程度の光ビームを記録再生光として使用する高密度記録が可能な第１の光ディスク３と、保護基板の厚さが０．６ｍｍで波長６５５ｎｍ程度の光ビームを記録再生光として使用するＤＶＤ等の第２の光ディスク４と、保護基板の厚さが１．２ｍｍで波長７８５ｎｍ程度の光ビームを記録再生光として使用するＣＤ等の第３の光ディスク５とを用いるものとして説明する。
【００２１】
具体的に、この光ディスク装置１０は、図１に示すように、光ディスク１１を回転するスピンドルモータ１２と、スピンドルモータ１２を制御するモータ制御回路１３と、スピンドルモータ１２により回転される光ディスク１１に光ビームを照射し光ディスク１１で反射した戻りの光ビームを検出する光ピックアップ１と、光ピックアップ１から出力された電気信号を増幅するＲＦアンプ１５と、対物レンズのフォーカシングサーボ信号やトラッキングサーボ信号を生成するサーボ回路１６と、サブコードデータを抽出するサブコード抽出回路１７とを備える。
【００２２】
また、この光ディスク装置１０は、記録系として、パーソナルコンピュータ等のホスト機器に接続され、記録すべきデータが入力される入力端子１８と、入力端子１８に入力された記録データに対してエラー訂正符号化処理を施すエラー訂正符号化回路１９と、エラー訂正符号化処理が施されたデータを変調する変調回路２０と、変調された記録データに対して記録処理を施す記録処理回路２１とを備える。
【００２３】
更に、光ディスク装置１０は、再生系として、光ディスク１１より読み出した再生データに対して復調する復調回路２２と、復調された再生データに対してエラー訂正復号処理を施すエラー訂正復号化回路２３と、エラー訂正復号処理されたデータを出力する出力端子２４とを備える。更に、光ディスク装置１０は、装置に対して操作信号を入力する操作部２５と、各種制御データ等を格納するメモリ２６と、全体の動作を制御する制御回路２７と、光ディスク１１の種類を判別するディスク種類判別部２９とを備える。
【００２４】
スピンドルモータ１２は、スピンドルに光ディスク１１が装着されるディスクテーブルが設けられており、ディスクテーブルに装着されている光ディスク１１を回転する。モータ制御回路１３は、光ディスクをＣＬＶ（Constant Linear Velocity）で回転することができるようにスピンドルモータ１２を駆動制御する。具体的に、モータ制御回路１３は、水晶発振器からの基準クロックとＰＬＬ回路からのクロックとに基づいて光ディスク１１の回転速度が線速一定となるようにスピンドルモータ１２を駆動制御する。なお、光ディスク１１は、ＣＡＶ（Constant Angular Velocity）やＣＬＶとＣＡＶとを組み合わせた制御で回転するようにしてもよい。
【００２５】
光ピックアップ１は、装着された光ディスク１１の種類に応じた波長を出射する、例えば３波長互換光学系を有する光ピックアップであり、規格の異なる光ディスクの信号記録面に対して上述した異なる波長の光ビームを出射する半導体レーザ等の光源と、この光源より出射された光ビームを集束する光ディスク１１の種類に対応した開口数の対物レンズ、光ディスク１１で反射された戻りの光ビームを検出する光検出器等を備える。光ピックアップ１は、光ディスク１１に記録されているデータを読み出すとき、半導体レーザの出力を標準レベルに設定し、半導体レーザよりレーザ光である光ビームを出射する。また、光ピックアップ１は、記録データを光ディスク１１に記録するとき、半導体レーザの出力を、再生時の標準レベルより高い記録レベルにして、半導体レーザよりレーザ光である光ビームを出射する。光ピックアップ１は、記録再生時、光ディスク１１に光ビームを照射し、信号記録面で反射した戻りの光ビームを光検出器で検出し、光電変換する。また、対物レンズは、２軸アクチュエータ等の対物レンズ駆動機構に保持され、フォーカシングサーボ信号に基づいて対物レンズの光軸と平行なフォーカシング方向に駆動変位され、また、トラッキングサーボ信号に基づいて対物レンズの光軸に直交するトラッキング方向に駆動変位される。尚、ここでは、３波長互換光学系を有する光ピックアップを用いて、異なる３波長に対応した複数種類の光ディスクに対して記録及び再生を行うものとして説明したが、これに限られるものではなく、２波長互換光学系を有する光ピックアップを用いてもよく、また、所定の１波長に対応した光学系を有する光ピックアップを用いてもよい。また、半導体レーザ、対物レンズ及び光検出器等の光学系の構成については後に詳述する。
【００２６】
ＲＦアンプ１５は、光ピックアップ１を構成する光検出器からの電気信号に基づいて、ＲＦ信号、フォーカシングエラー信号及びトラッキングエラー信号を生成する。例えばフォーカシングエラー信号は、非点収差法により生成され、トラッキングエラー信号は、３ビーム法やプッシュプル法により生成される。そして、ＲＦアンプ１５は、再生時、ＲＦ信号を復調回路２２に出力し、フォーカシングエラー信号及びトラッキングエラー信号をサーボ回路１６に出力する。
【００２７】
サーボ回路１６は、光ディスク１１を再生する際のサーボ信号を生成する。具体的に、サーボ回路１６は、ＲＦアンプ１５から入力されたフォーカシングエラー信号に基づき、このフォーカシングエラー信号が０となるように、フォーカシングサーボ信号を生成し、また、ＲＦアンプ１５から入力されたトラッキングエラー信号に基づき、このトラッキングエラー信号が０となるように、トラッキングサーボ信号を生成する。そして、サーボ回路１６は、フォーカシングサーボ信号及びトラッキングサーボ信号を光ピックアップ１を構成する対物レンズ駆動機構の駆動回路に出力する。この駆動回路は、フォーカシングサーボ信号に基づき２軸アクチュエータを駆動し、対物レンズを対物レンズの光軸と平行なフォーカシング方向に駆動変位させ、トラッキングサーボ信号に基づき２軸アクチュエータを駆動し、対物レンズの光軸に直交するトラッキング方向に対物レンズを駆動変位させる。
【００２８】
サブコード抽出回路１７は、ＲＦアンプ１５より出力されたＲＦ信号よりサブコードデータを抽出し、抽出したサブコードデータを制御回路２７に出力し、制御回路２７がアドレスデータ等を特定できるようにする。
【００２９】
入力端子１８は、パーソナルコンピュータ等のホスト機器のＳＣＳＩ（Small Computer System Interface）、ＡＴＡＰＩ（Advanced Technology Attachment Packet Interface）、ＵＳＢ（Universal Serial Bus）、ＩＥＥＥ（Institute of Electrical and Electronic Engineers）１３９４等のインタフェースに電気的に接続され、ホスト機器よりオーディオデータ、映画データ、コンピュータプログラム、コンピュータで処理された処理データ等の記録データが入力され、入力された記録データをエラー訂正符号化回路１９に出力する。
【００３０】
エラー訂正符号化回路１９は、例えば、クロスインターリーブ・リード・ソロモン符号化（Cross Interleave Reed-solomon Code；ＣＩＲＣ）、リードソロモン積符号化等のエラー訂正符号化処理を行い、エラー訂正符号化処理した記録データを変調回路２０に出力する。変調回路２０は、８−１４変調、８−１６変調等の変換テーブルを有しており、入力された８ビットの記録データを１４ビット又は１６ビットに変換して、記録処理回路２１に出力する。記録処理回路２１は、変調回路２０から入力された記録データに対してＮＲＺ（Non Return to Zero）、ＮＲＺＩ（Non Return to Zero Inverted）等の処理や記録補償処理を行い、光ピックアップ１に出力する。
【００３１】
復調回路２２は、変調回路２０と同様な変換テーブルを有しており、ＲＦアンプ１５から入力されたＲＦ信号を１４ビット又は１６ビットから８ビットに変換し、変換した８ビットの再生データをエラー訂正復号化回路２３に出力する。エラー訂正復号化回路２３は、復調回路２２から入力されたデータに対してエラー訂正復号処理を行い、出力端子２４に出力する。出力端子２４は、上述したホスト機器のインタフェースに電気的に接続されている。出力端子２４より出力された再生データは、ホスト機器に接続されたモニタに表示され、また、スピーカで再生音に変換されて出力される。
【００３２】
操作部２５は、光ディスク装置１０を操作するための各種操作信号を生成し、生成した各種操作信号を制御回路２７に出力する。具体的に、この操作部２５は、光ディスク装置１０に設けられたイジェクト釦２５ａの他、ディスクテーブルに装着された光ディスク１１に対して記録データの記録を開始する記録釦２５ｂや光ディスク１１に記録されているデータの再生を開始する再生釦２５ｃや記録再生動作を停止する停止釦２５ｄを備える。記録釦２５ｂ、再生釦２５ｃ、停止釦２５ｄ等は、必ずしも光ディスク装置１０にイジェクト釦２５ａと共に設けられている必要は無く、例えばホスト機器のキーボード、マウス等を操作することにより、ホスト機器よりインタフェースを介して記録開始信号、再生開始信号、停止信号等を制御回路２７に入力するようにしてもよい。
【００３３】
メモリ２６は、例えばＥＰ−ＲＯＭ（Erasable Programmable Read-Only Memory）等のメモリであり、制御回路２７が行う各種制御データやプログラムが格納されている。具体的に、このメモリ２６には、光ピックアップ１をディスクテーブルに装着された光ディスク１１の径方向に送り操作する際の駆動源となるスレッドモータ２８の光ディスク１１の種類に応じた各種制御データが格納されている。
【００３４】
ディスク種類判別部２９は、光ディスク１１の表面反射率、形状的及び外形的な違い等から異なるフォーマットを検出して光ディスク１１の種類を検出する。光ディスク装置１０を構成する各ブロックは、ディスク種類判別部２９における検出結果に応じて、装着される光ディスクの仕様に基づく信号処理ができるように構成されている。
【００３５】
制御回路２７は、マイクロコンピュータ、ＣＰＵ等で構成されており操作部２５からの操作信号に応じて装置全体の動作を制御する。また、制御回路２７は、ディスク種類判別部２９で検出された光ディスク１１の種類に応じて光ピックアップ１の半導体レーザの光源及び出力パワーを切り換える。
【００３６】
次に、本発明が適用された上述した光ピックアップ１について説明する。
【００３７】
光ピックアップ１は、所定の種類の光ディスクに対して所定の１波長の光ビームを用いて記録及び／又は再生を行うものとして説明する。尚、ここでは、光ピックアップ１を１波長に対応した光学系を有する光ピックアップとして説明するが、これに限られるものではなく、複数種類の光ディスクに対して、複数種類の波長の光ビームを用いて記録及び／又は再生を行うように構成しても良い。
【００３８】
本発明を適用した光ピックアップ１は、図２に示すように、所定の波長の光ビームを出射する光源部３１と、光源部３１から出射された光ビームを光ディスク１１の信号記録面上に集光する対物レンズ３２と、光源部３１と対物レンズ３２との間に設けられ、屈折率を変化させることによりコマ収差の収差量を調整する液晶光学素子３８と、光源部３１と液晶光学素子３８との間に設けられ、光源部３１から出射された光ビームの発散角を変換して平行光とするコリメータレンズ３４と、液晶光学素子３８とコリメータレンズ３４との間に設けられ、光ディスク１１で反射された戻り光の光路を変えて、光源部３１から出射された往路側の光ビームの光路から分離する光路分離手段としてのビームスプリッタ３５と、ビームスプリッタ３５で分離された戻りの光ビームを検出するフォトディテクタ等の光検出器３６とを備える。
【００３９】
また、光ピックアップ１は、液晶光学素子３８と対物レンズ３２との間に設けられ、通過する光ビームに１／４波長の位相差を与える１／４波長板３７と、ビームスプリッタ３５と光検出器３６との間に設けられ、ビームスプリッタ３５で光路を偏光された戻りの光ビームを光検出器３６のフォトディテクタ上に集光する集光レンズ３９とを備える。
【００４０】
対物レンズ３２は、２軸アクチュエータ４３等の対物レンズ駆動機構によって移動自在に支持されている。そして、この対物レンズ３２は、光検出器３６により受光された光ディスク１１からの戻りの光ビームにより生成されたトラッキングエラー信号及びフォーカシングエラー信号に基づいて、２軸アクチュエータ４３により移動操作されることにより、光ディスク１１に近接離間する方向及び光ディスク１１の径方向の２軸方向へ移動され、光ディスクの信号記録面で常に焦点が合うように、この光ビームを集束するとともに、この集束された光ビームを信号記録面上に形成された記録トラックに追従させる。
【００４１】
また、対物レンズ３２の入射側には、通過する光ビームの開口数を光ディスク１１のフォーマットに適応させるために開口制限を行う開口絞り及び／又はホログラム面等の図示しない開口制限手段が設けられている。
【００４２】
ビームスプリッタ３５は、偏光依存性を備えた膜特性を有する分離面３５ａが形成され、この分離面３５ａにより、光源部３１から出射されコリメータレンズ３４により平行光とされた光ビームを透過して液晶光学素子３８側に出射するとともに、光ディスク１１で反射された復路の光ビームを反射させて集光レンズ３９側に出射させる。
【００４３】
すなわち、例えば、この分離面３５ａが、通過する光ビームのうち、Ｓ波とされた光ビームの略全光量を透過させ、Ｐ波とされた光ビームの略全光量を反射させるような光学薄膜が形成されたものとし、光源部３１から出射される光ビームの偏光状態をＳ波とすると、光源部３１から出射されたＳ波の光ビームは、ビームスプリッタ３５を透過される。対物レンズ３２により集光されて光ディスク１１で反射された戻り光は、後述するように、１／４波長板３７によりＰ波とされて偏光ビームスプリッタ３５に入射するので、分離面３５ａを反射されて、光検出器３６側に導かれる。
【００４４】
液晶光学素子３８は、屈折率を変化させることにより光ディスクの反り、面振れ等に起因するコマ収差（以下、「光ディスクに起因するコマ収差」という。）、並びに、光学部品自体及び光学部品の配置誤差に起因するコマ収差（以下、「光学部品に起因するコマ収差」という。）の２要因のコマ収差の収差量を調整するものである。この液晶光学素子３８は、図３に示すように、相対向して配置される保護層としてのガラス基板である第１及び第２の基板５１，５２と、第１及び第２の基板５１，５２の相対向する面に形成され、それぞれ電極パターンを有するＩＴＯ膜等からなる一対の透明電極である第１及び第２の電極５３，５４と、第１及び第２の電極５３，５４の間に配向膜５５，５６を介して挟まれて配向された液晶分子５７とから形成されている。配向膜５５，５６は、液晶分子５７に所定の分子配向を与える。
【００４５】
一方のガラス基板５１に設けられた第１の電極５３は、図４（ａ）〜図４（ｃ）に示すように、この第１の電極５３を複数の領域に分割する第１の電極パターンと、第１の電極パターンに分割された複数の領域をさらに複数の領域に分割する第２の電極パターンとを有する。尚、図４（ｂ）及び図４（ｃ）は、それぞれ、図４（ａ）に示す電極パターンのうち、第１の電極パターン、第２の電極パターンのみを示したものである。
【００４６】
この第１の電極パターンは、図４（ａ）及び図４（ｂ）に示すように、光ディスクに起因するコマ収差、及び光学部品に起因するコマ収差、すなわち、ラジアル方向Ｒａｄのコマ収差を補正するもので、第１乃至第４の境界部６１，６２，６３，６４からなる。すなわち、第１の電極５３は、この第１乃至第４の境界部６１，６２，６３，６４により、複数の領域Ａ，Ｂ，Ｃ，Ｄ，Ｅに分割される。
【００４７】
第２の電極パターンは、図４（ａ）及び図４（ｃ）に示すように、光学部品に起因するコマ収差、すなわち、タンジェンシャル方向Ｔａｎのコマ収差を補正するもので、第１の電極パターンに分割された領域Ａ，Ｂ，Ｃ，Ｄ，Ｅをさらに、複数の領域に分割する第５乃至第８の境界部６５，６６，６７，６８からなる。この第５乃至第８の境界部６５，６６，６７，６８は、それぞれ、上述した第１乃至第４の境界部６１，６２，６３，６４を光軸を中心に略９０°回転させたのと略同じ形状とされる。また、第２の電極パターンは、第１の電極パターンと一部重複して、すなわち、互いの境界部が一部交差して形成されている。尚、図４（ａ）乃至図４（ｃ）において、破線部ｅａは、対物レンズの入射瞳径、すなわち、対物レンズ３２の開口数と焦点距離で決定される光ビーム径を液晶光学素子３８上に投影したものである。
【００４８】
図４（ａ）に示すように、第２の電極パターンの第５及び第６の境界部６５，６６は、領域Ａ，Ｂを３分割するとともに、領域Ｃを４分割する。また、第７及び第８の境界部６７，６８は、領域Ｃをさらに分割して６分割にするとともに、領域Ｄ，Ｅを３分割する。
【００４９】
すなわち、第１の電極５３の領域Ａは、第５及び第６の境界部６５，６６により、領域Ａ１，Ａ２，Ａ３に分割される。領域Ｂは、第５及び第６の境界部６５，６６により、領域Ｂ１，Ｂ２，Ｂ３に分割される。領域Ｃは、第５乃至第８の境界部６５，６６，６７，６８により、領域Ｃ１，Ｃ２，Ｃ３，Ｃ４，Ｃ５，Ｃ６に分割される。領域Ｄは、第７及び第８の境界部６７，６８により、領域Ｄ１，Ｄ２，Ｄ３に分割される。領域Ｅは、第７及び第８の境界部６７，６８により、領域Ｅ１，Ｅ２，Ｅ３に分割される。
【００５０】
他方のガラス基板５２に設けられた第２の電極５４は、図５（ａ）に示すように、電極パターンが形成されていない、いわゆるベタ電極とされている。尚、ここでは、第２の電極５４には、電極パターンを形成しないように構成したが、図５（ｂ）に示すように非点収差を補正する電極パターン、又は、図５（ｃ）に示すように球面収差を補正する電極パターンを形成するように構成しても良い。
【００５１】
例えば、図５（ｂ）に示す、第２の電極５４Ａに設けられた非点収差を補正する電極パターンは、光軸を中心として円形状に形成された第１の境界部と、この第１の境界部の外側に、光軸から放射状に径方向の直線状に形成された第２乃至第９の境界部とからなる。第２の電極５４Ａは、この第１乃至第９の境界部により、複数の領域ＡＳ０，ＡＳ１，ＡＳ２，ＡＳ３，ＡＳ４に分割され、後述するコマ収差の場合と同様に、この複数の領域に印加する電位を制御することで、非点収差を補正することができる。尚、図５（ｂ）中、同一符号が付された領域は、同一の電位に制御される。
【００５２】
また、図５（ｃ）に示す、第２の電極５４Ｂに設けられた球面収差を補正する電極パターンは、光軸を中心とした同心円状に形成された第１及び第２の境界部からなる。第２の電極５４Ｂは、この第１及び第２の境界部により、複数の領域ＳＡ０，ＳＡ１に分割され、後述するコマ収差の場合と同様に、この複数の領域に印加する電位を制御することで、球面収差を補正することができる。尚、図５（ｃ）中、同一符号が付された領域は、同一の電位に制御される。
【００５３】
液晶光学素子３８は、第１の電極５３に形成された第１及び第２の電極パターンに印加する電位を駆動制御する液晶駆動部４４を有する。液晶駆動部４４は、制御部２７から信号を受け、第１の電極５３の第１及び第２の電極パターンにより分割された各領域に印加する電位、及び、第２の電極５４の全領域に印加する電位を制御することにより、分割された各領域の第１及び第２の電極５３，５４間の電圧を制御することができ、この電圧による電界に従って、液晶分子の配向が偏倚され、電極パターンに応じて屈折率を変更する。すなわち、液晶光学素子３８は、液晶駆動部４４に制御されることにより、各領域を通過する光ビームに位相差を付加することができる。
【００５４】
第１の電極５３において、領域Ａ１と領域Ｅ２とは、同一の駆動信号が入力され、液晶駆動部４４により同一の電位に印加される。また、領域Ｂ１と領域Ｄ２とは、同一の駆動信号が入力され、同一の電位に印加される。また、領域Ｃ１と領域Ｃ６とは、同一の駆動信号が入力され、同一の電位に印加される。また、領域Ａ２と領域Ｅ１とは、同一の駆動信号が入力され、同一の電位に印加される。また、領域Ｂ２と領域Ｄ１とは、同一の駆動信号が入力され、同一の電位に印加される。また、領域Ｃ２と領域Ｃ５とは、同一の駆動信号が入力され、同一の電位に印加される。また、領域Ａ３と領域Ｅ３とは、同一の駆動信号が入力され、同一の電位に印加される。また、領域Ｂ３と領域Ｄ３とは、同一の駆動信号が入力され、同一の電位に印加される。さらに、領域Ｃ３と領域Ｃ４とは、同一の駆動信号が入力され、同一の電位に印加される。
【００５５】
この第１の電極５３において、第１及び第２の電極パターンにより分割された領域に必要な駆動信号は、上述の９種類の信号である。すなわち、第１の電極５３は、１８の領域に分割されているが、上述の組み合わせられた領域は所望の２方向のコマ収差を発生させる際に同電位とする領域であり、従って、駆動信号のチャンネル数としては９チャンネルとなっている。
【００５６】
液晶光学素子３８は、ラジアル方向Ｒａｄのコマ収差を補正するとき、領域Ａ１，Ａ２，Ａ３，Ｅ１，Ｅ２，Ｅ３に付加する電位を同電位Ｘ１とし、領域Ｂ１，Ｂ２，Ｂ３，Ｄ１，Ｄ２，Ｄ３に付加する電位を同電位Ｘ２とし、領域Ｃ１，Ｃ２，Ｃ３，Ｃ４，Ｃ５，Ｃ６に付加する電位を同電位Ｘ３として、それぞれに付加する電位を制御部２７及び液晶駆動部４４に制御されることにより、ラジアル方向Ｒａｄのコマ収差の波面に位相差を付加してこのコマ収差を補正する。ここで、電位Ｘ３を基準電位として、電位Ｘ１と電位Ｘ２とを基準電位に対して同程度逆方向の電位を与えることで、各領域毎に位相差を異ならせて所望の収差を発生させて補正する。
【００５７】
また、液晶光学素子３８は、タンジェンシャル方向Ｔａｎのコマ収差を補正するとき、領域Ａ１，Ｂ１，Ｃ１，Ｄ２，Ｅ２，Ｃ６に付加する電位を同電位Ｘ４とし、領域Ａ２，Ｂ２，Ｃ２，Ｄ１，Ｅ１，Ｃ５に付加する電位を同電位Ｘ５とし、領域Ａ３，Ｂ３，Ｃ３，Ｄ３，Ｅ３，Ｃ４に付加する電位を同電位Ｘ６として、それぞれに付加する電位を制御部２７及び液晶駆動部４４に制御されることにより、タンジェンシャル方向Ｔａｎのコマ収差の波面に位相差を付加してこのコマ収差を補正する。ここで、電位Ｘ６を基準電位として、電位Ｘ４と電位Ｘ５とを基準電位に対して同程度逆方向の電位を与えることで、各領域毎に位相差を異ならせて所望の収差を発生させて補正する。
【００５８】
そして、液晶光学素子３８は、ラジアル方向Ｒａｄのコマ収差及びタンジェンシャル方向Ｔａｎのコマ収差を同時に補正するときは、上述と同様に、それぞれの領域に、単独のコマ収差を補正するのに必要な電位を算出して、付加することで、ラジアル方向Ｒａｄ及びタンジェンシャル方向Ｔａｎのコマ収差を補正する。換言すると、それぞれのコマ収差を発生させる電位により付加できる基準領域に対する位相差を付加できる電位にすることで、ラジアル方向Ｒａｄ及びタンジェンシャル方向Ｔａｎのコマ収差、すなわち、２方向のコマ収差を補正する。
【００５９】
ここで、液晶光学素子３８により、コマ収差の波面に位相差を付加することにより、コマ収差を補正することについて、図６を用いて説明する。以下では、ラジアル方向Ｒａｄのコマ収差について、検討するが、タンジェンシャル方向Ｔａｎのコマ収差についても同様である。
【００６０】
一般的に、コマ収差の位相分布は、図６（ａ）の曲線Ｌ１に示すような分布として表すことができることがしられている。尚、図６（ａ）に示す位相分布Ｌ１は、最大位相差量を１に、光ビームの中心からの位置を対物レンズの入射瞳径の半径が１になるように規格化したものである。
【００６１】
液晶光学素子３８を上述のように、ラジアル方向Ｒａｄのコマ収差を補正するために、各領域を上述のような電位Ｘ１，Ｘ２，Ｘ３となるように制御することで、すなわち、基準領域に対して所定の領域における位相差の絶対値が同程度にすることで、直線Ｌ２に示すような位相差を所定の領域を通過する光ビームに与えることができる。
【００６２】
液晶光学素子３８を通過した光ビームは、図６（ａ）に示す位相差Ｌ２を付加されることで、図６（ｂ）の曲線Ｌ３に示すような収差分布となり、これは、この光ビームのコマ収差が補正されたことを示す。
【００６３】
よって、液晶光学素子３８によりコマ収差を補正された光ビームは、光ディスク１１の信号記録面に集光されたスポットにおける、ラジアル方向Ｒａｄのコマ収差が補正される。タンジェンシャル方向Ｔａｎ、並びに、ラジアル方向Ｒａｄ及びタンジェンシャル方向Ｔａｎの２方向のコマ収差についても、各領域を上述のように制御することで、液晶光学素子３８により、光ディスク１１の信号記録面に集光されたスポットにおける２方向のコマ収差が補正される。
【００６４】
１／４波長板３７は、通過する光ビームに１／４波長の位相差を与える、すなわち、入射した往路の光ビームを直線偏光（Ｓ波）から円偏光に変換し、光ディスクで反射された復路の光ビームを円偏光から直線偏光（Ｐ波）に変換する。１／４波長板３７は、光路における光ディスク１１の前後で２回通過させることにより、往路の光ビームと復路の光ビームとを異なる偏光状態とすることができる。
【００６５】
光検出器３６は、集光レンズ３９により集光された光ビームをフォトディテクタにて受光し、情報信号とともにトラッキングエラー信号及びフォーカシングエラー信号等の各種信号を検出する。
【００６６】
本発明を適用した光ピックアップ１は、ラジアル方向Ｒａｄのコマ収差を補正する第１の電極パターンと、タンジェンシャル方向Ｔａｎのコマ収差を補正する第２の電極パターンとを有する液晶光学素子３８により、それぞれの電極パターンにより分割された各領域を独立に制御することで、ラジアル方向Ｒａｄ及びタンジェンシャル方向Ｔａｎの２方向のコマ収差の補正を良好に行うことができる。よって、液晶光学素子３８の電極パターンを簡素化でき、液晶光学素子の駆動制御を簡素化できるとともに、一つの液晶光学素子のいずれか一方の電極により、光ディスクに起因するコマ収差及び光学部品に起因するコマ収差の最適な補正を実現でき、記録・再生特性を向上させることができる。
【００６７】
次に、上述のように構成された光ピックアップ１における、光源部３１から出射された光ビームの光路について説明する。
【００６８】
まず、光源部３１から出射された光ビームの往路側の光路について説明する。図２に示すように、光源部３１から出射された光ビームは、コリメータレンズ３４により発散角を変換されて略平行光とされ、ビームスプリッタ３５を透過されて、液晶光学素子３８に入射される。このとき、光源部３１から出射された光ビームは、偏光状態がＳ偏光状態とされているので、ビームスプリッタ３５の分離面３５ａを全量透過される。
【００６９】
液晶光学素子３８に入射された光ビームは、２方向のコマ収差を補正されて１／４波長板３７側に出射される。このとき、液晶光学素子３８は、制御部２７及び液晶駆動部４４により、ラジアル方向Ｒａｄ及びタンジェンシャル方向Ｔａｎのコマ収差を補正するための各領域に付加される電位を決定されて制御される。
【００７０】
液晶光学素子３８でコマ収差を補正された光ビームは、１／４波長板３７で円偏光状態とされ、対物レンズ３２の入射側で所定の開口数に開口制限され、対物レンズ３２で光ディスク１１の信号記録面上に集光される。
【００７１】
次に、光ディスク１１の信号記録面で反射された光ビームの復路側の光路について説明する。
【００７２】
図２に示すように、光ディスク１１に集光された光ビームは、信号記録面で反射され、対物レンズ３２を通過して、１／４波長板３７でＰ偏光状態とされ、液晶光学素子３８を通過して、ビームスプリッタ３５に入射する。
【００７３】
ビームスプリッタ３５に入射した光ビームは、分離面３５ａで反射され、集光レンズ３９により光検出器３６の受光面に集光される。このとき、ビームスプリッタ３５に入射した復路側の光ビームは、偏光状態がＰ偏光状態とされているので、ビームスプリッタ３５の分離面３５ａにより全量反射されて、集光レンズ３９側に出射させる。
【００７４】
本発明を適用した光ピックアップ１は、液晶光学素子３８の電極パターンを複雑にすることなく、また、この液晶光学素子３８を駆動させる液晶駆動部４４の制御を複雑にすることなく、一つの液晶光学素子のいずれか一方の電極で、ラジアル方向Ｒａｄ及びタンジェンシャル方向Ｔａｎのコマ収差の最適な補正を行うことを可能とする。すなわち、本発明を適用した光ピックアップ１は、それぞれの電極パターンにより分割された各領域を制御することで、各収差を独立に制御して補正を良好に行うことができる。よって、液晶光学素子の電極パターンを簡素化でき、液晶光学素子の駆動制御を簡素化できるとともに、一つの液晶光学素子のいずれか一方の電極により、２方向のコマ収差の最適な補正を実現でき、記録・再生特性を向上させることができる。
【００７５】
また、本発明を適用した光ピックアップ１は、２方向のコマ収差を補正する際に同一の電位とされる領域を組み合わせて制御するので、駆動制御の簡素化を可能とする。
【００７６】
さらに、本発明を適用した光ピックアップ１は、一対の電極の片面の電極パターンで２方向のコマ収差を補正することができ、さらに他方の電極の電極パターンに非点収差又は球面収差等を補正する構成とすることができるので、構成の簡素化、装置の小型化を実現するとともに、球面収差、非点収差及びコマ収差等の収差を補正でき良好な記録再生を可能とする。
【００７７】
尚、光ピックアップ１において、第１の電極５３が図４に示す第１乃至第８の境界部６１〜６８により、複数の領域に分割された液晶光学素子３８を用いたが、これに限られるものではなく、光ディスクに起因するコマ収差を補正する電極パターンと、光学部品に起因するコマ収差を補正する電極パターンとを備えるものであればよい。
【００７８】
次に、球面収差を補正する電極パターンとコマ収差を補正する電極パターンとを有する第１の電極の他の例を用いた、図２に示す光ピックアップ７０について説明する。尚、以下の説明において、上述した光ピックアップ１と共通する部分については、共通の符号を付して詳細な説明は省略する。
【００７９】
本発明を適用した光ピックアップ７０は、所定の波長の光ビームを出射する光源部３１と、光源部３１から出射された光ビームを光ディスク１１の信号記録面上に集光する対物レンズ３２と、光源部３１と対物レンズ３２との間に設けられ、屈折率を変化させることによりコマ収差の収差量を調整する液晶光学素子７８と、光源部３１と液晶光学素子７８との間に設けられ、光源部３１から出射された光ビームの発散角を変換して平行光とするコリメータレンズ３４と、液晶光学素子７８とコリメータレンズ３４との間に設けられ、光ディスクで反射された戻り光の光路を変えて、光源部３１から出射された往路側の光ビームの光路から分離する光路分離手段としてのビームスプリッタ３５と、ビームスプリッタ３５で分離された戻りの光ビームを検出するフォトディテクタ等の光検出器３６とを備える。
【００８０】
また、光ピックアップ７０は、液晶光学素子７８と対物レンズ３２との間に設けられ、通過する光ビームに１／４波長の位相差を与える１／４波長板３７と、ビームスプリッタ３５と光検出器３６との間に設けられ、ビームスプリッタ３５で光路を偏光された戻りの光ビームを光検出器３６のフォトディテクタ上に集光する集光レンズ３９とを備える。
【００８１】
液晶光学素子７８は、屈折率を変化させることにより光ディスクに起因するコマ収差、及び、光学部品に起因するコマ収差の２方向のコマ収差の収差量を調整するものである。この液晶光学素子７８は、図３に示すように、相対向して配置される保護層としてのガラス基板である第１及び第２の基板５１，５２と、第１及び第２の基板５１，５２の相対向する面に形成され、それぞれ電極パターンを有するＩＴＯ膜等からなる一対の透明電極である第１及び第２の電極７３，５４と、第１及び第２の電極７３，５４の間に配向膜５５，５６を介して挟まれて配向された液晶分子５７とから形成されている。配向膜５５，５６は、液晶分子５７に所定の分子配向を与える。
【００８２】
一方のガラス基板５１に設けられた第１の電極７３は、図７（ａ）〜図７（ｃ）に示すように、この第１の電極７３を複数の領域に分割する第３の電極パターンと、第３の電極パターンに分割された複数の領域をさらに複数の領域に分割する第４の電極パターンとを有する。尚、図７（ｂ）及び図７（ｃ）は、それぞれ、図７（ａ）に示す電極パターンのうち、第３の電極パターン、第４の電極パターンのみを示したものである。
【００８３】
この第３の電極パターンは、図７（ａ）及び図７（ｂ）に示すように、光ディスクに起因するコマ収差、及び光学部品に起因するコマ収差、すなわち、ラジアル方向Ｒａｄのコマ収差を補正するもので、第９乃至第１２の境界部８１，８２，８３，８４からなる。すなわち、第１の電極７３は、この第９乃至第１２の境界部８１，８２，８３，８４により、複数の領域Ｆ，Ｇ，Ｈ，Ｉ，Ｊに分割される。
【００８４】
第４の電極パターンは、図７（ａ）及び図７（ｃ）に示すように、光学部品に起因するコマ収差、すなわち、タンジェンシャル方向Ｔａｎのコマ収差を補正するもので、第３の電極パターンに分割された領域Ｆ，Ｇ，Ｈ，Ｉ，Ｊをさらに、複数の領域に分割する第１３乃至第１６の境界部８５，８６，８７，８８からなる。この第１３乃至第１６の境界部８５，８６，８７，８８は、それぞれ、上述した第９乃至第１２の境界部８１，８２，８３，８４を光軸を中心に略９０°回転させたのと略同じ形状とされる。また、第４の電極パターンは、第３の電極パターンと重複することなく、すなわち、互いの境界部が交差することなく形成されている。ここで、互いの境界部はその一部が接触するように形成されているが交差することなく、すなわち、領域の分割数を増やすことがなく、領域の分割数を最小限に抑えることができる。
【００８５】
第４の電極パターンの第１３乃至第１６の境界部８５，８６，８７，８８は、領域Ｈを６分割する。
【００８６】
すなわち、第１の電極の領域Ｈは、第１３乃至第１６の境界部８５，８６，８７，８８により、領域Ｈ１，Ｈ２，Ｈ３，Ｈ４，Ｈ５，Ｈ６に分割される。
【００８７】
第３及び第４の電極パターンは、後述するように、ラジアル方向Ｒａｄ及びタンジェンシャル方向Ｔａｎのコマ収差を補正するときの電位を印加する領域が重ならないようなパターンであり、すなわち、上述した第１及び第２の電極パターンにより分割された領域に比べて、領域の数も減らすことができ、制御も簡単にすることができる。
【００８８】
他方のガラス基板５２に設けられた第２の電極５４は、上述の液晶光学素子３８と同様であるので詳細な説明は省略する。
【００８９】
液晶光学素子７８は、第１の電極７３に形成された第３及び第４の電極パターンに印加する電位を駆動制御する液晶駆動部４４を有する。液晶駆動部４４は、制御部２７から信号を受け、第１の電極７３の第３及び第４の電極パターンにより分割された各領域に印加する電位、及び、第２の電極５４の全領域に印加する電位を制御することにより、分割された各領域の第１及び第２の電極７３，５４間の電圧を制御することができ、この電圧による電界に従って、液晶分子の配向が偏倚され、電極パターンに応じて屈折率を変更する。すなわち、液晶光学素子７８は、液晶駆動部４４に制御されることにより、各領域を通過する光ビームに位相差を付加することができる。
【００９０】
第１の電極７３において、領域Ｆと領域Ｊとは、同一の駆動信号が入力され、液晶駆動部４４により同一の電位に印加される。また、領域Ｇと領域Ｉとは、同一の駆動信号が入力され、同一の電位に印加される。また、領域Ｈ１と領域Ｈ６とは、同一の駆動信号が入力され、同一の電位に印加される。また、領域Ｈ２と領域Ｈ５とは、同一の駆動信号が入力され、同一の電位に印加される。さらに、領域Ｈ３と領域Ｈ４とは、同一の駆動信号が入力され、同一の電位に印加される。
【００９１】
この第１の電極７３において、第３及び第４の電極パターンにより分割された領域に必要な駆動信号は、上述の５種類の信号である。すなわち、第１の電極７３は、１０の領域に分割されているが、上述の組み合わせられた領域は所望の２方向のコマ収差を発生させる際に同電位とする領域であり、従って、駆動信号のチャンネル数としては５チャンネルとなっている。
【００９２】
液晶光学素子７８は、ラジアル方向Ｒａｄのコマ収差を補正するとき、領域Ｆ，Ｊに付加する電位を同電位Ｘ７とし、領域Ｇ，Ｉに付加する電位を同電位Ｘ８とし、領域Ｈ１，Ｈ２，Ｈ３，Ｈ４，Ｈ５，Ｈ６に付加する電位を同電位Ｘ９として、それぞれに付加する電位を制御部２７及び液晶駆動部４４に制御されることにより、ラジアル方向Ｒａｄのコマ収差の波面に位相差を付加してこのコマ収差を補正する。ここで、電位Ｘ９を基準電位として、電位Ｘ７と電位Ｘ８とを基準電位に対して同程度逆方向の電位を与えることで、各領域毎に位相差を異ならせて所望の収差を発生させて補正する。
【００９３】
また、液晶光学素子７８は、タンジェンシャル方向Ｔａｎのコマ収差を補正するとき、領域Ｈ１，Ｈ６に付加する電位を同電位Ｘ１０とし、領域Ｈ２，Ｈ５に付加する電位を同電位Ｘ１１とし、領域Ｆ，Ｇ，Ｈ３，Ｊ，Ｉ，Ｈ４に付加する電位を同電位Ｘ１２として、それぞれに付加する電位を制御部２７及び液晶駆動部４４に制御されることにより、タンジェンシャル方向Ｔａｎのコマ収差の波面に位相差を付加してこのコマ収差を補正する。ここで、電位Ｘ１２を基準電位として、電位Ｘ１０と電位Ｘ１１とを基準電位に対して同程度逆方向の電位を与えることで、各領域毎に位相差を異ならせて所望の収差を発生させて補正する。
【００９４】
そして、液晶光学素子７８は、ラジアル方向Ｒａｄのコマ収差及びタンジェンシャル方向Ｔａｎのコマ収差を同時に補正するときは、上述と同様に、それぞれの領域に、単独のコマ収差を補正するのに必要な電位を算出して、付加することで、ラジアル方向Ｒａｄ及びタンジェンシャル方向Ｔａｎのコマ収差を補正する。換言すると、それぞれのコマ収差を発生させる電位により付加できる基準領域に対する位相差を付加できる電位にすることで、ラジアル方向Ｒａｄ及びタンジェンシャル方向Ｔａｎのコマ収差、すなわち、２方向のコマ収差を補正する。
【００９５】
液晶光学素子７８による、コマ収差の波面に位相差を付加することにより、コマ収差を補正することの説明については、上述した液晶光学素子３８の場合と同様であるので、詳細な説明は省略する。
【００９６】
本発明を適用した光ピックアップ７０は、ラジアル方向Ｒａｄのコマ収差を補正する第３の電極パターンと、タンジェンシャル方向Ｔａｎのコマ収差を補正する第４の電極パターンとを有する液晶光学素子７８により、それぞれの電極パターンにより分割された各領域を独立に制御することで、ラジアル方向Ｒａｄ及びタンジェンシャル方向Ｔａｎの２方向のコマ収差の補正を良好に行うことができる。よって、液晶光学素子７８の電極パターンを簡素化でき、液晶光学素子の駆動制御を簡素化できるとともに、一つの液晶光学素子のいずれか一方の電極により、光ディスクに起因するコマ収差及び光学部品に起因するコマ収差の最適な補正を実現でき、記録・再生特性を向上させることができる。
【００９７】
上述のように構成された光ピックアップ７０における、光源部３１から出射された光ビームの光路については、光ピックアップ１の光路において液晶光学素子３８を通過して２方向のコマ収差を補正されるのに対し、液晶光学素子７８を通過して２方向のコマ収差を補正されることを除いて、光ピックアップ１の光路と同様であるので、詳細な説明は省略する。
【００９８】
本発明を適用した光ピックアップ７０は、液晶光学素子７８の電極パターンを複雑にすることなく、また、この液晶光学素子７８を駆動させる液晶駆動部４４の制御を複雑にすることなく、一つの液晶光学素子のいずれか一方の電極で、ラジアル方向Ｒａｄ及びタンジェンシャル方向Ｔａｎのコマ収差の最適な補正を行うことを可能とする。すなわち、本発明を適用した光ピックアップ１は、それぞれの電極パターンにより分割された各領域を制御することで、各収差を独立に制御して補正を良好に行うことができる。よって、液晶光学素子の電極パターンを簡素化でき、液晶光学素子の駆動制御を簡素化できるとともに、一つの液晶光学素子のいずれか一方の電極により、２方向のコマ収差の最適な補正を実現でき、記録・再生特性を向上させることができる。
【００９９】
また、本発明を適用した光ピックアップ７０は、２方向のコマ収差を補正する際に同一の電位とされる領域を組み合わせて制御するので、駆動制御の簡素化を可能とする。
【０１００】
さらに、本発明を適用した光ピックアップ７０は、一対の電極の片面の電極パターンで２方向のコマ収差を補正することができ、さらに他方の電極の電極パターンに非点収差又は球面収差等を補正する構成とすることができるので、構成の簡素化、装置の小型化を実現するとともに、球面収差、非点収差及びコマ収差等の収差を補正でき良好な記録再生を可能とする。
【０１０１】
尚、上述した光ピックアップ１、７０において、所定の波長の光ビームを記録再生光として使用し、光ディスクに対して記録及び／又は再生を行うように構成したが、これに限られるものではなく、例えば、異なる３波長の光ビームを記録再生光として使用する複数種類の光ディスクに対して記録及び／又は再生を行うように構成しても良い。
【０１０２】
次に、異なる波長の光ビームを記録再生光として使用する光ディスクに対して記録及び／又は再生を行う図８に示す光ピックアップ９０について説明する。尚、以下の説明において、上述した光ピックアップ１と共通する部分については、共通の符号を付して詳細な説明は省略する。
【０１０３】
光ピックアップ９０は、複数種類の第１乃至第３の光ディスクに対して記録及び／又は再生を行うものであり、具体的には、厚さが０．１ｍｍ程度の保護基板を有し波長４０５ｎｍ程度の第１の波長の光ビームを記録再生光として使用する第１の光ディスク３と、厚さが０．６ｍｍ程度の保護基板を有し波長６５５ｎｍ程度の第２の波長の光ビームを記録再生光として使用する第２の光ディスク４と、厚さが１．２ｍｍ程度の保護基板を有し波長７８５ｎｍ程度の第３の波長の光ビームを記録再生光として使用する第３の光ディスク５とに対して記録及び／又は再生を行うものとして説明する。尚、ここでは、３波長互換光学系を有する光ピックアップについて説明するが、２波長互換光学系を有する光ピックアップであってもよい。
【０１０４】
本発明を適用した光ピックアップ９０は、図８に示すように、波長４０５ｎｍ程度の第１の波長の光ビームを出射する第１の出射部と、波長６５５ｎｍ程度の第２の波長の光ビームを出射する第２の出射部と、波長７８５ｎｍ程度の第３の波長の光ビームを出射する第３の出射部とを有する光源部９１と、光源部９１から出射された光ビームの光路を波長に依存して分離する分離手段である第２のビームスプリッタ９４と、第２のビームスプリッタ９４で分離された第１の波長の光ビームを第１の光ディスク３の信号記録面３ａ上に集光する第１の対物レンズ９２と、第２のビームスプリッタで分離された第２の波長の光ビームを第２の光ディスク４の信号記録面４ａ上に集光し、第２のビームスプリッタで分離された第３の波長の光ビームを第３の光ディスク５の信号記録面５ａ上に集光する第２の対物レンズ９３と、光源部９１と第２のビームスプリッタ９４との間に設けられ、屈折率を変化させることによりコマ収差の収差量を調整する液晶光学素子３８と、光源部９１と液晶光学素子３８との間に設けられ、光源部９１から出射された光ビームの発散角を変換して平行光とするコリメータレンズ３４と、液晶光学素子３８とコリメータレンズ３４との間に設けられ、光ディスク１１で反射された戻り光の光路を変えて、光源部９１から出射された往路側の光ビームの光路から分離する光路分離手段としてのビームスプリッタ３５と、ビームスプリッタ３５で分離された戻りの光ビームを検出するフォトディテクタ等の光検出器３６とを備える。尚、光ピックアップ９０において、液晶光学素子３８を用いたが、上述した液晶光学素子７８を用いても良い。
【０１０５】
また、光ピックアップ９０は、第２のビームスプリッタ９４に反射される第２及び第３の波長に光ビームの光路上に設けられ、この反射された第２及び第３の波長の光ビームを第２の対物レンズ９３側に反射させる反射手段として反射ミラー９５と、液晶光学素子３８と第２のビームスプリッタ９４との間に設けられ、通過する光ビームに１／４波長の位相差を与える１／４波長板３７と、ビームスプリッタ３５と光検出器３６との間に設けられ、ビームスプリッタ３５で光路を偏光された戻りの光ビームを光検出器３６のフォトディテクタ上に集光する集光レンズ３９とを備える。
【０１０６】
光源部９１は、ディスク種類判別部２９により検出されたディスク種類に基づいて、出射させる光ビームを切り換える。すなわち、光源部９１は、装着された光ディスク１１が第１の光ディスク３であった場合には、第１の出射部から第１の波長の光ビームを出射し、光ディスク１１が第２の光ディスク４であった場合には、第２の出射部から第２の波長の光ビームを出射し、光ディスク１１が第３の光ディスク１３であった場合には、第３の出射部から第３の波長の光ビームを出射する。
【０１０７】
尚、ここでは、第１乃至第３の波長の光ビームをそれぞれ出射させる第１乃至第３の出射部を１つの光源部に設けるように構成したが、これに限られるものではなく、例えば、第１乃至第３の出射部の内２つの出射部を有する第１の光源部と、残りの１つの出射部を有する第２の光源部とを異なる位置に配置するように構成してもよく、第１乃至第３の出射部をそれぞれ異なる位置に配置するように構成してもよい。この場合、異なる位置に配置した光源の光路を合成する光路合成手段としてビームスプリッタ等を設けて光路を合成するようにすればよい。
【０１０８】
第２のビームスプリッタ９４は、光源部９１と第１及び第２の対物レンズ９２，９３との間に配置され、光源部９１から出射され、コリメータレンズ３４、ビームスプリッタ３５、液晶光学素子３８及び１／４波長板３７を経由して入射する第１の波長の光ビームの光路と、第２及び第３の波長の光ビームの光路とを分離して、それぞれ第１及び第２の対物レンズ９２，９３側に出射する。すなわち、第２のビームスプリッタ９４は、その分離面９４ａが第１の波長の光ビームを透過させ、第２及び第３の波長の光ビームを透過させる波長依存性を有する膜特性を備えるように形成されている。
【０１０９】
第１の対物レンズ９２は、第１の焦点距離を有し、第１の波長の光ビームに対応したものであり、開口数は、０．８５とされている。第１の対物レンズ９２は、第１の光ディスク３に対して、第１の波長の光ビームを信号記録面２ａ上に集光する。また、第１の対物レンズ９２の入射側には、第１の対物レンズ９２に入射する光ビームの開口制限を行う開口制限素子として図示しない第１の開口フィルタが設けられている。この第１の開口フィルタは、通過する第１の波長の光ビームの開口数を０．８５とする。
【０１１０】
第２の対物レンズ９３は、第２の焦点距離を有し、第２及び第３の波長の光ビームに対応したものであり、開口数は、第２の波長に対しては０．６５であり、第３の波長に対しては０．５０とされている。第２の対物レンズ９３は、第２の光ディスク４に対して、第２の波長の光ビームを信号記録面３ａ上に集光し、第３の光ディスク５に対して、第３の波長の光ビームを信号記録面４ａ上に集光する。また、第２の対物レンズ９３の入射側には、第２の対物レンズ９３に入射する光ビームの開口制限を行う開口制限素子として図示しない第２の開口フィルタが設けられている。この第２の開口フィルタは、通過する第２の波長の光ビームの開口数を０．６５とし、通過する第３の波長の光ビームの開口数を０．５０とする。この開口フィルタとして、例えば、ホログラム等が用いられる。
【０１１１】
第１の対物レンズ９２及び第２の対物レンズ９３は、タンジェンシャル方向Ｔａｎに並んで配置されてレンズホルダ９７に保持されている。このレンズホルダ９７に保持された第１の対物レンズ９２及び第２の対物レンズ９３は、２軸アクチュエータ９６等の対物レンズ駆動機構によってトラッキング方向及びフォーカシング方向に移動自在に支持されている。そして、この第１及び第２の対物レンズ９２，９３は、ディスク種類判別部２９からの検出信号、並びに、光検出器３６により受光された戻りの光ビームにより生成されたトラッキングエラー信号及びフォーカシングエラー信号に基づいて、２軸アクチュエータ９６により移動操作されることにより、光ディスク１１に近接離間する方向及び光ディスク１１の径方向の２軸方向へ移動され、光ディスク１１の信号記録面で常に焦点が合うように、この光ビームを集束するとともに、この集束された光ビームを信号記録面上に形成された記録トラックに追従させる。
【０１１２】
本発明を適用した光ピックアップ９０は、ラジアル方向Ｒａｄのコマ収差を補正する第１の電極パターンと、タンジェンシャル方向Ｔａｎのコマ収差を補正する第２の電極パターンとを有する液晶光学素子３８により、それぞれの電極パターンにより分割された各領域を独立に制御することで、ラジアル方向Ｒａｄ及びタンジェンシャル方向Ｔａｎの２方向のコマ収差の補正を良好に行うことができる。
【０１１３】
すなわち、本発明を適用した光ピックアップ９０は、複数種類の光ディスク３，４，５に対して情報の記録再生を行うため第１及び第２の対物レンズ９２，９３を設けたような場合において、レンズホルダへの第１及び第２の対物レンズ９２，９３の配置誤差により発生する光学部品に起因するコマ収差についても良好に補正することができる。
【０１１４】
よって、液晶光学素子３８の電極パターンを簡素化でき、液晶光学素子の駆動制御を簡素化できるとともに、一つの液晶光学素子のいずれか一方の電極により、光ディスクに起因するコマ収差及び光学部品に起因するコマ収差の最適な補正を実現でき、記録・再生特性を向上させることができる。
【０１１５】
次に、上述のように構成された光ピックアップ９０における、光源部９１から出射された光ビームの光路について説明する。まず、第１の光ディスク３に対して出射される第１の波長の光ビームの往路側の光路について説明する。
【０１１６】
光ディスク１１が第１の光ディスク３であることを判別したディスク種類判別部２９は、光源部９１の第１の出射部から第１の波長の光ビームを出射させる。また、ディスク種類判別部２９からの信号を受けた２軸アクチュエータ９６は、第１の光ディスク３に対応した位置に第１の対物レンズ９２を移動させる。
【０１１７】
光源部９１から出射された第１の波長の光ビームは、図８に示すように、コリメータレンズ３４により発散角を変換されて略平行光とされ、ビームスプリッタ３５を透過されて、液晶光学素子３８に入射される。このとき、光源部９１から出射された第１の波長の光ビームは、偏光状態がＳ偏光状態とされているので、ビームスプリッタ３５の分離面３５ａを全量透過される。
【０１１８】
液晶光学素子３８に入射された第１の波長の光ビームは、２方向のコマ収差を補正され、１／４波長板３７側に出射される。このとき、液晶光学素子３８は、制御部２７及び液晶駆動部４４により、ラジアル方向Ｒａｄ及びタンジェンシャル方向Ｔａｎのコマ収差を補正するための各領域に付加される電位を決定されて制御される。
【０１１９】
液晶光学素子３８でコマ収差を補正された第１の波長の光ビームは、１／４波長板３７で円偏光状態とされ、波長依存性を有する第２のビームスプリッタ９４の分離面９４ａを透過され、第１の対物レンズ９２の入射側で所定の開口数に開口制限され、第１の対物レンズ９２で第１の光ディスク３の信号記録面３ａ上に集光される。
【０１２０】
次に、第１の光ディスク３の信号記録面３ａで反射された第１の波長の光ビームの復路側の光路について説明する。
【０１２１】
図８に示すように、第１の光ディスク３に集光された第１の波長の光ビームは、信号記録面３ａで反射され、第１の対物レンズ９２を通過して、第２のビームスプリッタ９４の分離面９４ａを透過され、１／４波長板３７でＰ偏光状態とされ、液晶光学素子３８を通過して、ビームスプリッタ３５に入射する。
【０１２２】
ビームスプリッタ３５に入射した第１の波長の光ビームは、分離面３５ａで反射され、集光レンズ３９により光検出器３６の受光面に集光される。このとき、ビームスプリッタ３５に入射した復路側の第１の波長の光ビームは、偏光状態がＰ偏光状態とされているので、ビームスプリッタ３５の分離面３５ａにより全量反射されて、集光レンズ３９側に出射させる。
【０１２３】
次に、第２の光ディスク４に対して出射される第２の波長の光ビームの往路側の光路について説明する。
【０１２４】
光ディスク１１が第２の光ディスク４であることを判別したディスク種類判別部２９は、光源部９１の第２の出射部から第２の波長の光ビームを出射させる。また、ディスク種類判別部２９からの信号を受けた２軸アクチュエータ９６は、第２の光ディスク４に対応した位置に第２の対物レンズ９３を移動させる。
【０１２５】
光源部９１から出射された第２の波長の光ビームは、図８に示すように、コリメータレンズ３４により発散角を変換されて略平行光とされ、ビームスプリッタ３５を透過されて、液晶光学素子３８に入射される。このとき、光源部９１から出射された第２の波長の光ビームは、偏光状態がＳ偏光状態とされているので、ビームスプリッタ３５の分離面３５ａを全量透過される。
【０１２６】
液晶光学素子３８に入射された第２の波長の光ビームは、２方向のコマ収差を補正され、１／４波長板３７側に出射される。このとき、液晶光学素子３８は、制御部２７及び液晶駆動部４４により、ラジアル方向Ｒａｄ及びタンジェンシャル方向Ｔａｎのコマ収差を補正するための各領域に付加される電位を決定されて制御される。
【０１２７】
液晶光学素子３８でコマ収差を補正された第２の波長の光ビームは、１／４波長板３７で円偏光状態とされ、波長依存性を有する第２のビームスプリッタ９４の分離面９４ａを反射され、反射ミラー９５で反射されて第２の対物レンズ９３の入射側で所定の開口数に開口制限され、第２の対物レンズ９３で第２の光ディスク４の信号記録面４ａ上に集光される。
【０１２８】
次に、第２の光ディスク４の信号記録面４ａで反射された第２の波長の光ビームの復路側の光路について説明する。
【０１２９】
図８に示すように、第２の光ディスク４に集光された第２の波長の光ビームは、信号記録面４ａで反射され、第２の対物レンズ９３を通過して、反射ミラー９５で反射され、第２のビームスプリッタ９４の分離面９４ａで反射され、１／４波長板３７でＰ偏光状態とされ、液晶光学素子３８を通過して、ビームスプリッタ３５に入射する。
【０１３０】
ビームスプリッタ３５に入射した第２の波長の光ビームは、分離面３５ａで反射され、集光レンズ３９により光検出器３６の受光面に集光される。このとき、ビームスプリッタ３５に入射した復路側の第２の波長の光ビームは、偏光状態がＰ偏光状態とされているので、ビームスプリッタ３５の分離面３５ａにより全量反射されて、集光レンズ３９側に出射させる。
【０１３１】
尚、第３の光ディスク５に対して出射される第３の波長の光ビームの光路については、第２の波長の光ビームの光路と同様であるので、説明は省略する。
【０１３２】
本発明を適用した光ピックアップ９０は、液晶光学素子３８の電極パターンを複雑にすることなく、また、この液晶光学素子３８を駆動させる液晶駆動部４４の制御を複雑にすることなく、一つの液晶光学素子のいずれか一方の電極で、ラジアル方向Ｒａｄ及びタンジェンシャル方向Ｔａｎのコマ収差の最適な補正を行うことを可能とする。すなわち、本発明を適用した光ピックアップ９０は、それぞれの電極パターンにより分割された各領域を制御することで、各収差を独立に制御して補正を良好に行うことができる。よって、液晶光学素子の電極パターンを簡素化でき、液晶光学素子の駆動制御を簡素化できるとともに、一つの液晶光学素子のいずれか一方の電極により、２方向のコマ収差の最適な補正を実現でき、記録・再生特性を向上させることができる。
【０１３３】
また、本発明を適用した光ピックアップ９０は、２方向のコマ収差を補正する際に同一の電位とされる領域を組み合わせて制御するので、駆動制御の簡素化を可能とする。
【０１３４】
さらに、本発明を適用した光ピックアップ９０は、一対の電極の片面の電極パターンで２方向のコマ収差を補正することができ、さらに他方の電極の電極パターンに非点収差又は球面収差等を補正する構成とすることができるので、構成の簡素化、装置の小型化を実現するとともに、球面収差、非点収差及びコマ収差等の収差を補正でき良好な記録再生を可能とする。
【０１３５】
次に、上述の光ピックアップ１を用いた光ディスク装置１０により、光ディスク１１へ記録データを記録するときの記録・再生動作について説明する。尚、光ディスク装置１０において光ピックアップ７０，９０を用いた場合も同様であるので、詳細な説明は省略する。まず、光ディスク１１へ記録データを記録するときの記録動作について説明する。
【０１３６】
操作部２５を構成する記録釦２５ｂがユーザにより操作されて入力端子１８より記録データが入力されると、この記録データは、エラー訂正符号化回路１９で光ディスク１１の種類に応じたエラー訂正符号化処理がされ、次いで、変調回路２０で光ディスク１１の種類に応じた変調処理がされ、次いで、記録処理回路２１で記録処理がされた後、光ピックアップ１に入力される。すると、光ピックアップ１は、光ディスク１１の種類に応じて半導体レーザより所定の波長の光ビームを照射し、光ディスク１１の記録層に照射すると共に、光ディスク１１の反射層で反射された戻りの光ビームを光検出器で検出し、これを光電変換しＲＦアンプ１５に出力する。ＲＦアンプ１５は、フォーカシングエラー信号、トラッキングエラー信号、ＲＦ信号を生成する。サーボ回路１６は、ＲＦアンプ１５から入力されたフォーカシングエラー信号やトラッキングエラー信号に基づいてフォーカシングサーボ信号やトラッキングサーボ信号を生成し、これらの信号を光ピックアップ１の対物レンズ駆動機構の駆動回路に出力する。これにより、対物レンズ駆動機構に保持された対物レンズは、フォーカシングサーボ信号やトラッキングサーボ信号に基づいて、対物レンズの光軸と平行なフォーカシング方向及び対物レンズの光軸に直交するトラッキング方向に駆動変位される。更に、モータ制御回路１３は、アドレス用のピットより生成したクロックが水晶発振器からの基準クロックと同期するように回転サーボ信号を生成し、これに基づき、スピンドルモータ１２を駆動し、光ディスク１１をＣＬＶで回転する。更に、サブコード抽出回路１７は、ＲＦ信号からピットパターン等からリードインエリアのアドレスデータを抽出し、制御回路２７に出力する。光ピックアップ１は、制御回路２７の制御に基づいて、記録処理回路２１で記録処理されたデータを記録するため、この抽出されたアドレスデータに基づいて所定のアドレスにアクセスし、半導体レーザを記録レベルで駆動し、光ビームを光ディスク１１の記録層に照射しデータの記録を行う。光ピックアップ１は、記録データを記録するに従って、順次スレッドモータ２８によって送り操作され、光ディスク１１の内外周に亘って記録データを記録する。
【０１３７】
次に、光ディスク１１に記録されている記録データを再生するときの動作について説明する。
【０１３８】
操作部２５を構成する再生釦２５ｃがユーザにより操作されると、光ピックアップ１は、記録動作のときと同様に、光ディスク１１の種類に応じて半導体レーザより所定の波長の光ビームを光ディスク１１の記録層に照射すると共に、光ディスク１１の反射層で反射された戻りの光ビームを光検出器で検出し、これを光電変換しＲＦアンプ１５に出力する。ＲＦアンプ１５は、フォーカシングエラー信号、トラッキングエラー信号、ＲＦ信号を生成する。サーボ回路１６は、ＲＦアンプ１５から入力されたフォーカシングエラー信号やトラッキングエラー信号に基づいてフォーカシングサーボ信号やトラッキングサーボ信号を生成し、これらの信号に基づいて対物レンズのフォーカシング制御やトラッキング制御を行う。更に、モータ制御回路１３は、同期信号より生成したクロックが水晶発振器からの基準クロックと同期するように回転サーボ信号を生成し、これに基づき、スピンドルモータ１２を駆動し、光ディスク１１をＣＬＶで回転する。更に、サブコード抽出回路１７は、ＲＦ信号からサブコードデータを抽出し、抽出したサブコードデータを制御回路２７に出力する。光ピックアップ１は、所定のデータを読み出すため、この抽出されたサブコードデータに含まれるアドレスデータに基づいて所定のアドレスにアクセスし、半導体レーザを再生レベルで駆動し、光ビームを光ディスク１１の記録層に照射し反射層で反射された戻りの光ビームを検出することによって光ディスク１１に記録されている記録データの読み出しを行う。光ピックアップ１は、記録データを読み出すに従って、順次スレッドモータ２８によって送り操作され、光ディスク１１の内外周に亘って記録されている記録データの読み出しを行う。
【０１３９】
ＲＦアンプ１５で生成されたＲＦ信号は、復調回路２２で記録時の変調方式に応じて復調処理がされ、次いで、エラー訂正復号化回路２１でエラー訂正復号処理がされ、出力端子２４より出力される。この後、出力端子２４より出力されたデータは、そのままディジタル出力されるか又は例えばＤ／Ａコンバータによりディジタル信号からアナログ信号に変換され、スピーカ、モニタ等に出力される。
【０１４０】
本発明を適用した光ディスク装置１０は、光学部品に起因するコマ収差及び光ディスクに起因するコマ収差を簡易な構成とされた液晶光学素子３８，７８により良好に補正することができ、構成の簡素化、装置の小型化を実現するとともに、記録・再生特性を向上させることができる。
【０１４１】
本発明を適用した光ピックアップ１，７０，９０は、記録及び再生を行う光ディスク装置に用いられたが、記録のみ行う光ディスク装置又は再生のみ行う光ディスク装置に適用されてもよい。また、本発明は、上述したディスクフォーマット以外に対しても適用可能である。
【図面の簡単な説明】
【０１４２】
【図１】本発明を適用した記録再生装置の構成を示すブロック回路図である。
【図２】本発明を適用した光ピックアップの光学系の例を示す光路図である。
【図３】本発明を適用した光ピックアップを構成する液晶光学素子の構成を示す断面図である。
【図４】本発明を適用した光ピックアップを構成する液晶光学素子の一方の電極パターンを示すものであり、（ａ）は、一方の電極パターンを示す平面図であり、（ｂ）は、一方の電極パターンのうちラジアル方向のコマ収差を補正する第１の電極パターンを示す平面図であり、（ｃ）は、一方の電極パターンのうちタンジェンシャル方向のコマ収差を補正する第２の電極パターンを示す平面図である。
【図５】本発明を適用した光ピックアップを構成する液晶光学素子の他方の電極パターンを示すものであり、（ａ）は、他方の電極パターンを示す平面図であり、（ｂ）は、他方の電極パターンの他の例であり非点収差を補正するパターンを設けた例を示す平面図であり、（ｃ）は、他方の電極パターンの更に他の例であり球面収差を補正するパターンを設けた例を示す平面図である。
【図６】本発明を適用した光ピックアップにおいて、（ａ）は、液晶光学素子を通過する光ビームに発生するコマ収差の位相分布、及び、この光ビームに液晶光学素子により付加されるコマ収差補正位相差量を示す図であり、（ｂ）は、液晶光学素子を通過することによりコマ収差補正位相差量が付加された状態の光ビームの位相差量を示す図である。
【図７】本発明を適用した光ピックアップを構成する液晶光学素子の他の例の一方の電極パターンを示すものであり、（ａ）は、一方の電極パターンを示す平面図であり、（ｂ）は、一方の電極パターンのうちラジアル方向のコマ収差を補正する第１の電極パターンを示す平面図であり、（ｃ）は、一方の電極パターンのうちタンジェンシャル方向のコマ収差を補正する第２の電極パターンを示す平面図である。
【図８】本発明を適用した光ピックアップの光学系の他の例を示す光路図である。
【図９】従来の光ピックアップを構成する液晶光学素子のコマ収差を補正する電極パターンを示す平面図である。
【符号の説明】
【０１４３】
１  光ピックアップ、  １０  記録再生装置、  １１  光ディスク、  １２  スピンドルモータ、  ２７  制御部、  ２９  ディスク種類判別部、  ３１  光源部、  ３２  対物レンズ、  ３４  コリメータレンズ、  ３５  ビームスプリッタ、  ３６  光検出器、  ３７  １／４波長板、  ３８  液晶光学素子、  ３９  集光レンズ、  ４３  ２軸アクチュエータ、  ４４  液晶駆動部、  ５１  第１の基板、  ５２  第２の基板、  ５３  第１の電極、  ５４  第２の電極、  ５５，５６  配向膜、  ５７  液晶分子
【図１】
2007080431.tif 000003
【図２】
2007080431.tif 000004
【図３】
2007080431.tif 000005
【図４】
2007080431.tif 000006
【図５】
2007080431.tif 000007
【図６】
2007080431.tif 000008
【図７】
2007080431.tif 000009
【図８】
2007080431.tif 000010
【図９】
2007080431.tif 000011